(57)【要約】      （修正有）【課題】動物（例えば、人、ペット等）の体毛をブラッシングした時、ブラシに植設されたピンに絡みついた梳き毛を容易に取り除くことができる体毛除毛ブラシを提供する。【解決手段】手で把持できる柄２と、柄と一体のブラシ台１と、ブラシ台の一方の面に植設された複数のピン３とからなるブラシにおいて、ブラシ台の周囲を囲むように設けた棒状材からなる枠体７と、枠体には複数の細い線材が縦または縦横に張設されており、枠体と張設された細い線材とが一体となって除毛部６を形成し、除毛部における枠体の一方が、ヒンジ４と成し回動可能であると共に、取り外しが可能であり、更に枠体の他方は、ブラシ台の頂部と係合するように折り曲げ構造としブラシ台に係止可能である体毛除毛ブラシ。【選択図】図１
0003191978.tif 000002
【実用新案登録請求の範囲】
【請求項１】
手で把持できる柄と、該柄と一体のブラシ台と、該ブラシ台の一方の面に植設された複数のピンとからなるブラシにおいて、上記ブラシ台の周囲を囲むように設けた棒状材からなる枠体と、該枠体には複数の細い線材が縦または縦横に張設されており、上記枠体と上記縦または縦横に張設された細い線材とが一体となって除毛部を形成し、上記除毛部における上記枠体の一方が、上記ブラシ台から上記除毛部を外す際の回転可能なヒンジと成し、当該ヒンジを上記ブラシ台と上記柄の境界近傍に設け、取り外しが可能な除毛部であり、更に上記枠体の他方は、上記ブラシ台の頂部と係合するように折り曲げ構造の曲がり係止部を備え、上記ブラシ台に係止可能であることを特徴とする体毛除毛ブラシ。
【請求項２】
手で把持できる柄と、該柄と一体のブラシ台と、該ブラシ台の一方の面に植設された複数のピンとからなるブラシにおいて、上記ブラシ台の周囲を囲むように設けた棒状材からなる枠体と、該枠体には複数の細い線材が縦、または縦横に張設されており、上記枠体と上記縦、または縦横に張設された細い線材とが一体となって除毛部を形成し、上記除毛部における上記枠体の一方が、上記ブラシ台から上記除毛部を外す際の回転可能なヒンジと成し、当該ヒンジを上記ブラシ台の頂部に設け、取り外し可能な除毛部であり、更に上記枠体の他方は上記ブラシ台と係止する係止部が上記ブラシ台と上記柄の境界近傍に設けられ係止可能であることを特徴とする体毛除毛ブラシ。
【請求項３】
上記ブラシ台が、上記ブラシ台の両面に植設された複数のピンからなる両面ブラシであって、上記除毛部は上記両面ブラシ台のいずれか一方の面に設けられており上記除毛部のヒンジのところで取り外すことにより他方の面に付け替えることができることを特徴とする請求項１および２のいずれかに記載の体毛除毛ブラシ。
【請求項４】
上記体毛除毛ブラシは、ブラシ台の両面に植設された複数のピンからなる両面ブラシであって、上記除毛部が両面に設けられていることを特徴とする請求項１および２のいずれかに記載の体毛除毛ブラシ。
【請求項５】
上記ブラシ台に植設された複数のピンが繊維状の毛体であることを特徴とする請求項１〜４のいずれかに記載の体毛除毛ブラシ。
【考案の詳細な説明】
【技術分野】
【０００１】  この考案は動物（例えば、人、ペット等）の体毛を梳く場合に使用するブラシであって、梳き取った体毛をブラシから除去する除毛ブラシに関する。
【背景技術】
【０００２】  人間や動物の体毛を手入れする場合、市販されている体毛梳きブラシは手入れを行った後のブラシの掃除が大変である。これは、梳き毛がブラシの台に埋め込まれたピン等に絡みつき、ブラシ全体を覆ってしまうからである。従って、このようにブラシに絡みついた梳き毛を手で除去するのは手間がかかる。【０００３】  このために、先行技術として特許文献１に記載されているような手段を講じたブラシがある。これは、矩形の枠体に細線を張設したものをブラシ本体のブラシ台にはめ込み、ピン等に梳き毛が絡みついた時、その枠体をピン等から抜き取ることにより、当該ピン等に絡みついた梳き毛が除去されるものである。【０００４】  また、特許文献２には特許文献１に記載されているものと同様に金属板による除毛部材が示されている。しかし、これらは強度的には十分であるが、比較的重い欠点がある。体毛を梳き取り整えていると、手首が疲労するという問題があった。【０００５】  また、体毛梳きブラシにはピン等が両面に植設されたものもある。このようなブラシは、一般に、表裏のピン等の植設数が異ならせてあり、体毛の多少または密度等を勘案して使い分けている。しかし、体毛の多少が異なるとは言え、やはり、梳き毛がピン等に絡みつくため、作業中でも常に絡みついた体毛を手で除去しなければならなかった。しかし、このようなブラシにも除毛を行う器具が設けられているものがなかった。
【先行技術文献】
【０００６】
【特許文献１】実登第３０３９１７０号公報
【特許文献１】実登第３１１１２６８号公報
【考案の概要】
【考案が解決しようとする課題】
【０００７】  先にも述べたが、例えば、大型のペットなど動物の毛並みの手入れをする場合、長時間に亘って体毛を梳き取り整えていると、手首が疲労するという問題があった。また軽くするために金属板を薄くすると強度不足となり、ピンに絡みついた体毛を除去する時、歪が生じて変形することがあった。
【課題を解決するための手段】
【０００８】  そこで、上記の課題を解決するために、本第１の考案は、手で把持できる柄と、該柄と一体のブラシ台と、該ブラシ台の一方の面に植設された複数のピンとからなるブラシにおいて、上記ブラシ台の周囲を囲むように設けた棒状材からなる枠体と、該枠体には複数の細い線材が縦または縦横に張設されており、上記枠体と上記縦または縦横に張設された細い線材とが一体となって除毛部を形成している、上記除毛部における上記枠体の一方が、上記ブラシ台から除毛部を外す際の回転可能なヒンジと成し、そのヒンジを上記ブラシ台と上記柄の境界近傍に設け、回動可能であると共に、取り外しが可能な除毛部としている、更に上記枠体の他方は、上記ブラシ台の頂部と係合するように折り曲げ構造の曲がり係止部を備え、上記ブラシ台と係止可能であることを特徴とした体毛除毛ブラシである。【０００９】  また本第２の考案は、手で把持できる柄と、該柄と一体のブラシ台と、該ブラシ台の一方の面に植設された複数のピンとからなるブラシにおいて、上記ブラシ台の周囲を囲むように設けた棒状材からなる枠体と、該枠体には複数の細い線材が縦または縦横に張設されており、上記枠体と上記縦または縦横に張設された細い線材とが一体となって除毛部を形成している、上記除毛部における上記枠体の一方が、上記ブラシ台から除毛部を外す際の回転可能なヒンジと成し、当該ヒンジを上記ブラシ台の頂部に設け、取り外し可能な除毛部である。更に上記枠体の他方は、上記ブラシ台と係止する係止部が上記ブラシ台と上記柄の境界近傍に設けられ係止できることを特徴としている。【００１０】  更に本第３の考案は、上記体毛除毛ブラシは、ブラシ台の両面に植設された複数のピンからなる両面ブラシであって、上記除毛部は上記両面ブラシ台のいずれか一方の面に設けられており、上記除毛部のヒンジのところで取り外すことにより他方の面に付け替えることができることを特徴としている。【００１１】  更に本第４の考案は、上記体毛除毛ブラシは、ブラシ台の両面に植設された複数のピンからなる両面ブラシであって、上記除毛部が両面に設けられていることを特徴としている。【００１２】  更にまた本第５の考案は、ブラシ台に植設された複数のピンが繊維状の毛体であることを特徴としている。
【考案の効果】
【００１３】  本考案の体毛除毛ブラシは、複数のピンまたは繊維状の毛体が植設されたブラシであって、動物（人も含む）の体毛を梳くことにより体毛を除去する時、梳き取った体毛が上記ブラシに絡みつくが、上記ブラシ台の周囲を囲むように設けた棒状材からなる枠体に複数の細い線材が縦横に張設された除毛部をブラシ台にはめ込んでおき、ブラッシングが終了したとき、上記除毛部をブラシ台から外すように柄または頂部のところのヒンジを支点に回動することにより、梳き毛を持ち上げるが如く浮かせて一挙に除去することができる。
【図面の簡単な説明】
【００１４】
【図１】本考案の除毛ブラシの斜視図。
【図２】（Ａ）本考案の除毛ブラシの平面図である。（Ｂ）本考案の除毛ブラシの側面図である。
【図３】両面ブラシの片面に除毛部を取り付けた側面図である。
【図４】除毛部の回転支点をブラシの先端部に設けた側面図である。
【図５】（Ａ）両面ブラシの両面に除毛部を取り付けた平面図である。（Ｂ）両面ブラシの両面に除毛部を取り付けた側面図である。
【考案を実施するための形態】
【００１５】  本考案の実施形態を図面に基づいて説明する。図１図２に示すように、１はブラシ台、２はブラシ台と一体の柄、３は複数のピン群、４はヒンジ部、５はブラシ台の頂部、６は除毛部、７は棒状材からなる枠体、８は細い線材、９は枠体の曲がり係止部、１０は枠体のヒンジ部、１１はブラシ台と柄の境界近傍を示すものである。
【実施例】
【００１６】  図１は本考案の除毛ブラシの斜視図である。本考案の動物用体毛除毛ブラシは、ブラシ台１と一体の柄２によりブラシの本体を構成している。ブラシ台には複数のピン３が植設されており体毛を梳き取る役目を成すものである。次に、除毛部６とはブラシ台１と外形が相似形であり棒状材（線材）からなる枠体７である。枠体７には細い線材（例えばステンレス線材または有機線材）８が張設されている。枠体７の頂部には枠体の曲がり係止部９が設けられており、枠体を倒して植設された複数のピンの中に、枠体に調節した細い線材を沈めるがごとくブラシ台に重ねた時、枠体の曲がり係止部９はブラシ台頂部５と係合する。また、枠体７と細い線材８によって構成されている除毛部６の一方には除毛部６が複数のピン群３から抜け出すときの支点と成す枠体のヒンジ部１０が設けられており、ブラシ台と柄の境界近傍に設けたヒンジ部４に係止されている。【００１７】  次に図２（Ａ）（Ｂ）について説明する。図２（Ａ）は本考案の除毛ブラシの平面図であって、前記のように枠体を倒して植設された複数のピンの中に、枠体に調節した細い線材を沈め、ブラシ台１と枠体７とが重なりあった状態を示す。図２（Ｂ）は本考案の除毛ブラシの側面図である。【００１８】  上述したように、本考案の除毛ブラシは、図２（Ａ）（Ｂ）に示すように枠体に張設した細い線材を沈めるがごとくブラシ台に重ねた状態にして使用する。つまり、使用とは動物の体毛を梳き取るように手入れをすることである。そして、体毛を梳き取っている内に複数のピン群に梳き毛が絡みついてくる。【００１９】そこで、このピン群に絡みついた梳き毛を除去するには、図１に示す状態に除毛部６をブラシ台１のピン群３から、枠体のヒンジ部１０を支点として回動させて抜き出す。ピン群に絡みついた梳き毛はピン群から抜けて除毛部６の細線上に乗って浮き上がり、後は手でかきとり処分する。【００２０】  図３について説明する。これは両面ブラシの片面に除毛部を取り付けた側面図である。ブラシ台１の両面に梳き取り用のピン群３がブラシ台１の表裏に植設されており、除毛用の除毛部６がブラシ台１の裏面ピン群３−１に設けられた図である。枠体７の除毛部６を表面のピン群３の側に設けることもできる。その場合、ヒンジ部４の枠体ヒンジ部１０のところを外して表面ヒンジ部の穴４−１に付け替えることが可能である。【００２１】  図４については、片面にピン群３が植設されたブラシの例を示している。除毛部６の開閉（矢印１２で示す方向に開閉する）ヒンジ部１０−１がブラシ台の頂部に設けられたもので、ピン群３に除毛部６を沈めた時、除毛部６の曲がり係止部９−１は柄２の部分に設けた係止部５−１に係合して係止される。両面ブラシの場合も図３で示したように、除毛部６はヒンジ部１０−１のところで取り外して他方の面に付け替えることができるものとしている。【００２２】  図５について説明する。図５（Ａ）は両面除毛ブラシの平面図であり、除毛部の開閉ヒンジを手前側、つまり柄の方に設けた実施例である。しかし、これに限ったものでなく、図４に示したように除毛部６および６−１の開閉ヒンジをブラシの頂部に設け、その係止部を柄に方に設けることもできる。また、本考案の体毛除毛ブラシは本実施例で示した以外に略角形（矩形状）樹脂製であってもよい。
【符号の説明】
【００２３】１  ブラシ台
２  ブラシ台と一体の柄
３  複数のピン群（表）
３−１  複数のピン群（裏）
４  ヒンジ部
５  ブラシ台の頂部
６  除毛部
７  枠体
８  細い線材（縦）
８−１  細い線材（横）
９  曲がり係止部（表）
９−１  曲がり係止部（裏）
１０  枠体のヒンジ部
１０−１  枠体のヒンジ部
【図１】
0003191978.tif 000003
【図２】
0003191978.tif 000004
【図３】
0003191978.tif 000005
【図４】
0003191978.tif 000006
【図５】
0003191978.tif 000007